【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
２D伝送フォーマットに従う三次元[３D]ビデオ情報の転送のためのデータ・トランスポート・ストリームを生成するために前記３Dビデオ情報を処理する方法であって、
前記3Dビデオ情報は、3Dビデオ・データ及び補助データを有し、
前記3Dビデオ・データは、３D効果を生じさせるために観察者のそれぞれの目に対して表示されるべき左ビュー及び右ビューを少なくとも有し、
前記補助データは、前記３Dビデオ・データ上のオーバレイ領域における表示のために配置され、当該方法は、
メイン配置における前記２D伝送フォーマットにしたがってメイン・ビデオ・データのための２Dフレーム中に前記左ビュー及び前記右ビューの前記３Dビデオ・データを配置し、
前記メイン・ビデオ・データを受信機が再生することを可能にして前記補助データをオーバレイするために受信機のためのパラメータを有する制御データを提供し、
前記メイン配置における前記3Dビデオ・データ、前記補助データ及び前記制御データを含む前記データ・トランスポート・ストリームを組み立てて、当該方法はさらに、
前記３Dビデオ・データの前記左ビュー及び前記右ビュー上にオーバレイされるべき前記補助データの補助左ビュー及び補助右ビュー、前記補助データの２Dバージョン、並びに、前記左ビュー及び前記右ビュー上にオーバレイされるときに補助データの前記２Ｄバージョンに適用されるべき視差を示す補助視差データを提供し、
前記メイン配置に対応する補助配置における２Ｄ伝送フォーマットにしたがって補助データ・ストリーム中に前記補助左ビュー及び前記補助右ビューの前記補助データを配置し、
更なる補助データ・ストリーム中に前記２Ｄバージョンの前記補助データを配置し、
前記トランスポート・ストリーム中に、前記更なる補助データ・ストリーム、前記補助視差データ、及び、前記更なる補助データ・ストリームを示す視差フォーマット・インジケータを含める、方法。
【請求項２】
前記制御データが、前記２Ｄフレームにおける前記左ビュー及び前記右ビューの前記３Ｄビデオ・データの前記メイン配置を示す、前記２Ｄ伝送フォーマットの３Ｄ拡張にしたがう３Ｄフォーマット・インジケータを含む、請求項１に記載の方法。
【請求項３】
前記補助配置は、前記メイン配置を示す前記３Ｄフォーマット・インジケータのみによって示される、請求項２に記載の方法。
【請求項４】
前記補助視差データは、前記左ビュー及び前記右ビュー上にオーバレイされるときのそれぞれの領域中の前記補助データの視差を示す前記オーバレイ領域中の少なくとも１つの領域のための領域視差データを含む、請求項１に記載の方法。
【請求項５】
前記補助データ・ストリームは、前記オーバレイ領域に表示されるべき補助データのページの構成を定めるページ構成構造を有し、前記ページ構成構造は、それぞれの領域の位置及び前記領域視差データを定める、少なくとも１つの領域定義を有する、請求項４に記載の方法。
【請求項６】
前記補助データ・ストリームは、補助データのページ中の領域の構成を定める領域構成構造を有し、前記領域構成構造は、前記領域の前記領域視差データを有する、請求項４に記載の方法。
【請求項７】
前記補助データ・ストリームは、前記オーバレイ領域に表示されるべき補助データのページ中の領域の構成を定める領域構成構造を有し、前記領域構成構造は、グラフィカル・オブジェクトの位置を定める、オブジェクト構造のシーケンスを有し、前記オブジェクト構造は、前記補助視差データを有する視差オブジェクトを含み、又は、前記補助データ・ストリームは、補助データのページのための前記オーバレイ領域を定める、表示定義を有し、前記表示定義は、前記オーバレイ領域の位置及び前記補助視差データを定める、請求項１に記載の方法。
【請求項８】
前記補助データ・ストリームはオブジェクトを有し、前記オブジェクトは、オーバレイされるべきグラフィカル・オブジェクトのピクセル・データを定め、前記補助データ・ストリーム及び前記更なる補助データ・ストリームは、前記補助左ビュー、前記補助右ビュー及び/又は前記補助データの前記２Ｄバージョンの間でそれぞれの同じオブジェクトを共有するための同じオブジェクトに対するリファレンスを有する、請求項１に記載の方法。
【請求項９】
前記トンランスポート・データ・ストリームは、前記２Ｄ伝送フォーマットの３Ｄ拡張によう更なるセグメント・タイプを有し、前記更なるセグメント・タイプは、前記補助視差データを有する立体視差記述子を有する、請求項１に記載の方法。
【請求項１０】
前記トランスポート・データ・ストリームは、前記２Ｄ伝送フォーマットの３Ｄ拡張にしたがって前記補助視差データを有するパケット化基本ストリーム[ＰＥＳ]データ・パケットを有する、請求項１に記載の方法。
【請求項１１】
前記補助データは字幕を有する請求項１に記載の方法。
【請求項１２】
２D伝送フォーマットに従う三次元[３D]ビデオ情報の転送のためのデータ・トランスポート・ストリームを生成するために前記３Dビデオ情報を処理するための装置であって、
前記3Dビデオ情報は、3Dビデオ・データ及び補助データを有し、
前記3Dビデオ・データは、３D効果を生じさせるために観察者のそれぞれの目に対して表示されるべき左ビュー及び右ビューを少なくとも有し、
前記補助データは、前記３Dビデオ・データ上のオーバレイ領域における表示のために配置され、当該装置は、
メイン配置における前記２D伝送フォーマットにしたがってメイン・ビデオ・データのための２Dフレーム中に前記左ビュー及び前記右ビューの前記３Dビデオ・データを配置し、
前記メイン・ビデオ・データを受信機が再生することを可能にして前記補助データをオーバレイするために受信機のためのパラメータを有する制御データを提供し、
前記メイン配置における前記3Dビデオ・データ、前記補助データ及び前記制御データを含む前記データ・トランスポート・ストリームを組み立てる、
ためのビデオ・プロセッサを有し、
前記ビデオ・プロセッサはさらに、
前記３Dビデオ・データの前記左ビュー及び前記右ビュー上にオーバレイされるべき前記補助データの補助左ビュー及び補助右ビュー、前記補助データの２Dバージョン、並びに、前記左ビュー及び前記右ビュー上にオーバレイされるときに補助データの前記２Ｄバージョンに適用されるべき視差を示す補助視差データを提供し、
前記メイン配置に対応する補助配置における２Ｄ伝送フォーマットにしたがって補助データ・ストリーム中に前記補助左ビュー及び前記補助右ビューの前記補助データを配置し、
更なる補助データ・ストリーム中に前記２Ｄバージョンの前記補助データを配置し、
前記トランスポート・ストリーム中に、前記更なる補助データ・ストリーム、前記補助視差データ、及び、前記更なる補助データ・ストリームを示す視差フォーマット・インジケータを含める、装置。
【請求項１３】
三次元[３Ｄ]ビデオ情報を転送するための信号を記録するコンピュータ可読記録媒体であって、
前記3Dビデオ情報は、3Dビデオ・データ及び補助データを有し、
前記3Dビデオ・データは、３D効果を生じさせるために観察者のそれぞれの目に対して表示されるべき左ビュー及び右ビューを少なくとも有し、
前記補助データは、前記３Dビデオ・データ上のオーバレイ領域における表示のために配置され、前記信号は、
メイン配置における２D伝送フォーマットにしたがってメイン・ビデオ・データのための２Dフレーム中に前記左ビュー及び前記右ビューの前記３Dビデオ・データ、
前記メイン・ビデオ・データを受信機が再生することを可能にして前記補助データをオーバレイするために受信機のためのパラメータを有する制御データ、
伝送のために前記メイン配置における前記3Dビデオ・データ、前記補助データ及び前記制御データを含むデータ・トランスポート・ストリーム、
前記３Dビデオ・データの前記左ビュー及び前記右ビュー上にオーバレイされるべき前記補助データの補助左ビュー及び補助右ビュー、前記補助データの２Dバージョン、並びに、前記左ビュー及び前記右ビュー上にオーバレイされるときに補助データの前記２Ｄバージョンに適用されるべき視差を示す補助視差データ、
前記メイン配置に対応する補助配置における２Ｄ伝送フォーマットにしたがって補助データ・ストリーム中に前記補助左ビュー及び前記補助右ビューの前記補助データ、
更なる補助データ・ストリーム中に前記２Ｄバージョンの前記補助データ、
前記トランスポート・ストリーム中の、前記更なる補助データ・ストリーム、前記補助視差データ、及び、前記更なる補助データ・ストリームを示す視差フォーマット・インジケータ、を有するコンピュータ可読記録媒体。
【請求項１４】
三次元[３Ｄ]ビデオ情報を処理するための受信機であって、
前記3Dビデオ情報は、3Dビデオ・データ及び補助データを有し、
前記3Dビデオ・データは、３D効果を生じさせるために観察者のそれぞれの目に対して表示されるべき左ビュー及び右ビューを少なくとも有し、
前記補助データは、前記３Dビデオ・データ上のオーバレイ領域における表示のために配置され、前記受信機は、
請求項１３に記載の信号を受信するための入力ユニット、
前記補助データ・ストリーム中に提供される前記補助配置中の前記補助データを破棄する一方で、前記更なる補助データ・ストリームから前記補助データを読み出して、前記補助データの前記２Ｄバージョン及び前記補助視差データに基づいて前記３Ｄビデオ・データ上のオーバレイ領域に表示するためのオーバレイデータを生成するためのビデオ・プロセッサ、
を有する受信機。
【請求項１５】
三次元[３Ｄ]ビデオ情報を処理するためのコンピュータ・プログラムであって、請求項１から請求項１１のいずれか一項に記載の方法をプロセッサに実行されるコンピュータ・プログラム。